(57)【要約】【課題】どの方向からも筆記面に筆記でき、筆記時における筆圧により筆跡幅に変化をもたらすことが可能で、かつ字幅を連続的に可変可能なペン先を得る。【解決手段】一端側にインキ流出路５を設けた複数のペン先片３を有した撓み可能な平板状のペン体６を、インキを収容する軸筒の先端に連接可能な軸体８に装着した、インキ流通路１０と該インキ流通路１０に連通し外方に開口したスリット１４を有したペン体保持部材７の外周上に設け、各ペン先片３の先端を全体形状が先窄み状となるように集合する。各ペン先片３のインキ流出路５に連通するインキ溜り部となる空間部１５と、各ペン先片３に当接する当接部１６を設ける。操作体９を回動可能に具設して、操作体９を操作することにより、ペン体６がペン体保持部材７に対して前後に移動可能にする。【選択図】図２
2012020466.tif 000002
【特許請求の範囲】
【請求項１】
一端側に撓み可能な複数のペン先片を有し、他端側を各ペン先片の後端を連接した連接部とし、各ペン先片の先端部に軸心方向に延び先端に開口した切割溝で形成したインキ流出路を有したペン体を、インキを収容する軸筒の先端に連接可能な軸体に装着した、先窄み状の前方部を有し、軸筒内に収容したインキを先端に流出するためのインキ流通路と、先端部に一方をインキ流通路に連通し他方を外方に開口したスリットを有したペン体保持部材の外周上に、連接部を環状にして各ペン先片を環状に配列して、各ペン先片の先端を全体形状が先み状となるように集合し、かつ各ペン先片内にペン体保持部材の前方部が位置し、各ペン先片のインキ流出路が対向するペン体保持部材の前方部の外壁面と各ペン先片の内壁面との間に毛管作用によりインキ溜り部となる空間部を形成するように配し、ペン体保持部材の前方部に各ペン先片に当接する当接部を設け、操作体を軸体およびペン体保持部材に対して回動可能に具設し、操作体を回動することでペン体をペン体保持部材に対して前後方向に移動可能とし、ペン体がペン体保持部材に対して後方に移動した際に、各ペン先片の先端が離間して開いた状態となることを特徴とするペン先。
【請求項２】
前記操作体を、軸体の前方でペン体の連接部の外周状に、軸体およびペン体保持部材に対して回動可能かつ前後に移動可能に配し、操作体にペン体に形成した係止孔を貫通してペン体保持部材の外周面に形成した傾斜溝に係合した突起を設け、操作体を回動することで突起が傾斜溝に沿って前後動可能とした、請求項１に記載のペン先。
【請求項３】
前記操作体を、軸体の前方でペン体の連接部の外周状に、軸体およびペン体保持部材に対して回動可能に配し、操作体の内壁面にペン体の連接部に形成した傾斜溝に係合する突起を設け、操作体を回動することで突起によりペン体がペン体保持部材に対して前後動可能とした、請求項１に記載のペン先。
【発明の詳細な説明】
【技術分野】
【０００１】
本発明は、複数のペン先片を環状に配列して、各ペン先片の先端を全体形状が先窄み状となるように集合したペン先に関する。
【背景技術】
【０００２】
従来、どの方向からも筆記面に筆記できるペン先として、複数のペン先片を環状に配列して設けるとともに、各ペン先片の先端を全体形状が先窄み状となるように集合したペン先は知られている。
【０００３】
こうした構造のペン先として、例えば、特開平７−１８８１号公報により開示されている、一端側を帯状に他端側を櫛歯状に形成した金属製の平板を筒状に折曲して接合することにより、前記帯状の端部側に形成された基部と、さらに前記櫛歯状の端部を円錐形に集合するとともにその先端縁を内方に半球状に丸め成形してなる構造のものがある。
【０００４】
また、特開平９−１５６２７９号公報により開示されている、筒形状の基部と、その一端側に、連続して断面円弧状に突出され、軸心の円周上に等間隔に相互の間にスリット状の溝を設けて形成された複数の櫛歯状片とからなり、各櫛歯状片の先端に全体として半球形状を構成する半球分割部を有するペン先基本体と、ペン先基本体の外周状に嵌合可能な筒形に形成され、複数の櫛歯状片を軸心方向に向けて押圧し、収束する収束部材とを備え、ペン先基本体に収束部材を嵌め込むことにより、ペン先基本体の複数の櫛歯状片をその先端方向に向けて漸次縮径する円錐形に収束し、その先端に半球状の筆記部を構成してなる構造のものがある。
【０００５】
ところで、万年筆におけるペンでは、筆記時における筆圧によりペンの先端に形成された切割溝により先端が開き、紙面等の筆記面へインキを流出するための前記切割溝で構成されたインキ流出路の幅が広くなるので、筆跡幅に変化をもたらすことはできるものの、従来の各種のペン先において、筆記時の筆圧の影響を受けることなく字幅を可変可能なペン先はなかった。前記したような構造のペン先では、どの方向からも筆記面に筆記できるものの、筆記面へインキを流出するためのインキ流出路は、各櫛歯状片（ペン先片）間の隙間で構成しているために、筆記時における筆圧により各櫛歯状片（ペン先片）間の隙間量はあまり変化せず、万年筆のように筆跡幅に変化をもたらこともできない。又、従来のペン先では、例えば万年筆の場合、細字用あるいは中字用としての字幅のものが、細字用を中字用として、中字用を太字用として使用することはできない。ペンを繊維束で形成したペン先においては、ペン先端の形状に変化をつけることにより２〜３種類の字幅に可変可能であると言えるが、断続的な変化である。字幅が連続的に可変可能なものはない。
【先行技術文献】
【特許文献】
【０００６】
【特許文献１】特開平７−１８８１号公報
【特許文献２】特開平９−１５６２７９号公報
【発明の概要】
【発明が解決しようとする課題】
【０００７】
本発明は前記事実に鑑みてなされたもので、どの方向からも筆記面に筆記でき、筆記時における筆圧により筆跡幅に変化をもたらすことが可能で、かつ字幅を連続的に可変可能なペン先を得ることにある。
【課題を解決するための手段】
【０００８】
本発明は、
「１．一端側に撓み可能な複数のペン先片を有し、他端側を各ペン先片の後端を連接した連接部とし、各ペン先片の先端部に軸心方向に延び先端に開口した切割溝で形成したインキ流出路を有したペン体を、インキを収容する軸筒の先端に連接可能な軸体に装着した、先窄み状の前方部を有し、軸筒内に収容したインキを先端に流出するためのインキ流通路と、先端部に一方をインキ流通路に連通し他方を外方に開口したスリットを有したペン体保持部材の外周上に、連接部を環状にして各ペン先片を環状に配列して、各ペン先片の先端を全体形状が先み状となるように集合し、かつ各ペン先片内にペン体保持部材の前方部が位置し、各ペン先片のインキ流出路が対向するペン体保持部材の前方部の外壁面と各ペン先片の内壁面との間に毛管作用によりインキ溜り部となる空間部を形成するように配し、ペン体保持部材の前方部に各ペン先片に当接する当接部を設け、操作体を軸体およびペン体保持部材に対して回動可能に具設し、操作体を回動することでペン体をペン体保持部材に対して前後方向に移動可能とし、ペン体がペン体保持部材に対して後方に移動した際に、各ペン先片の先端が離間して開いた状態となることを特徴とするペン先。
２．前記操作体を、軸体の前方でペン体の連接部の外周状に、軸体およびペン体保持部材に対して回動可能かつ前後に移動可能に配し、操作体にペン体に形成した係止孔を貫通してペン体保持部材の外周面に形成した傾斜溝に係合した突起を設け、操作体を回動することで突起が傾斜溝に沿って前後動可能とした、前記１項に記載のペン先。
３．前記操作体を、軸体の前方でペン体の連接部の外周状に、軸体およびペン体保持部材に対して回動可能に配し、操作体の内壁面にペン体の連接部に形成した傾斜溝に係合する突起を設け、操作体を回動することで突起によりペン体がペン体保持部材に対して前後動可能とした、前記１項に記載のペン先。」
である。
【０００９】
前記ペン先片保持部材に形成するインキ流通路は、軸心方向に延びた孔で構成しても良いし、さらに前記孔に繊維状のインキ誘導芯等を挿入して構成しても良く、軸筒内に収容したインキをペン体保持部材の先端部に確実に流出できればどのような構造でも良い。また、ペン体保持部材の先端部に形成するスリットの数は、１つでもあるいはペン先片の数だけ設けても良く、特に限定されないが、空間部にインキが充分に溜まるようにするには３つ以上設けるのが好ましい。
【発明の効果】
【００１０】
本発明は前記したような構造なので、どの方向からも筆記面に筆記でき、操作体を操作してペン体をペン体保持部材に対して後退させることにより、ペン体保持部材に設けた当接部が各ペン先片の先窄み状の先端側で当接するので各ペン先片の先端が集合した状態から離間して開いた状態となり、字幅を連続的に可変可能となる。また、切割溝を設けてあるので、万年筆のペンのように筆記時も筆圧により各ペン先片の先端が開くので筆跡幅に変化をもたらすことが可能となる。
【００１１】
請求項２および請求項３に係る発明とすることにより、簡単な構造で、操作体を回動することでペン体をペン体保持部材に対して後方に移動させることができる。
【図面の簡単な説明】
【００１２】
【図１】本発明の実施例を示す、ペン先の斜視図である。
【図２】ペン先の第１の実施例を示す、ペン先の要部を断面した図である。
【図３】図２におけるＡ−Ａ線部分の拡大端面図である。
【図４】第１の実施例におけるペン体の斜視図である。
【図５】ペン先の第１の実施例において、操作体を操作して、ペン体保持部材に対してペン体を後退させた状態を示した、ペン先の要部を断面した図である。
【図６】第１の実施例におけるペン先を装着した筆記具の実施例を示す、筆記具の要部を断面した図である。
【図７】第１の実施例におけるペン先を装着した筆記具の他の実施例を示す、筆記具の要部を断面した図である。
【図８】ペン先の第２の実施例を示す、ペン先の要部を断面した図である。
【図９】第２の実施例におけるペン体の斜視図である。
【発明を実施するための形態】
【００１３】
一端側に複数のペン先片を有し他端側を連接して連接部とし、各ペン先片の先端部に軸心方向に延び先端に開口した切割溝で形成したインキ流出路を有した撓み可能な平板状のペン体を、該ペン体を保持するペン体保持部材の外周上に、各ペン先片の先端を全体形状が先窄み状となるように集合して配したペン先において、操作体を具設して、操作体を回動することでペン体がペン体保持部材に対して後方に移動し、各ペン先片の先端が離間するようにする。
【実施例１】
【００１４】
第１の実施例のペン先を、図１〜図５を用いて説明する。第１の実施例のペン先１は、
一端側に隙間２を設けて複数のペン先片３を有し他端側を連接して連接部４とし、各ペン先片３の先端部に、軸心方向に延び先端に開口した切割溝で形成したインキ流出路５を有した撓み可能な金属製で平板状のペン体６と、前記ペン先片３を周状に配列してペン体６を保持するためのペン体保持部材７と、インキを収容する軸筒（図示せず）の先端に連接可能な軸体８と、ペン体６をペン体保持部材７に対して前後動させるための操作体９とで構成されている。
【００１５】
ペン体保持部材７は、軸体８内に挿着可能な本体部７ａと前方に先窄み状で本体部７ａの外径より小径な前方部７ｂと後端（図２において右側方向）に本体部７ａの外径より大径な鍔部７ｃとで構成されており、ペン体保持部材７には軸筒内に収容したインキをペン体保持部材７の先端にインキを流出するための前後に貫通した孔で形成したインキ流通路１０を設けてある。
【００１６】
軸体８は、内部形状が、前記ペン体保持部材７の本体部７ａが圧入嵌合可能な内径とした前方内部８ａと、前記ペン体保持部材７の鍔部７ｃが挿入可能な前記前方内部８ａの内径より大径な後方内部８ｂと、操作体９の後部９ｂを挿入可能な前方内部８ａの内径より大きい内径の挿入部８ｃを前方内部８ａの前方に設けた形状である。軸体８の内部に前記ペン体保持部材７を、本体部７ａを前方内部８ａに圧入嵌合し、鍔部７ｃを後方内部８ｂに位置させて前方内部８ａの後端に当接して挿着してある。
【００１７】
ペン体６は、図４に示すように、連接部４を環状に形成して各ペン先片３を周状に配列してある。各ペン先片３はプレス等により内側に変形して略円錐状となるようにペン先片３の先端を集合して形成してある。このペン体６を、ペン体保持部材７の前方部７ｂが略円錐状の各ペン先片７内に位置し、ペン体保持部材７の本体部７ａの前方部（図において左側方向）に、連接部４が摺動可能な状態で保持されるようにして装着してある。
【００１８】
前記連接部４の外周上に、円筒状の操作体９を、軸体８およびペン体保持部材７に対して回動可能に、外径を小径とした後部９ｂを軸体８の挿入部８ｃに遊嵌して配し、操作体９の内壁に固着した突起１１を、ペン体６の連接部４に設けた係止孔１２（図４を参照）に嵌合してペン体６を貫通してペン体保持部材７に突出し、ペン体保持部材７の外周面に設けた傾斜溝１３に係合させて設けてある。図５に示すように、操作体９を回動することにより突起１１が傾斜溝１３に沿って移動するので、操作体９およびペン体６はペン体保持部材７に対して前後動する。
【００１９】
ペン体保持部材７の前方部７ｂの先端部７ｂａには、インキ流通路１０に連通し軸径方向に放射状に延びて外方に開口したスリット１４を３つ設けてある。また、ペン先保持部材７のスリット１４の周りの外壁面と各ペン先片３のインキ流出路５の周り内壁面との間に毛管作用によりインキ溜り部となる空間部１５が形成されるように、スリット１４の後方（図２おいて右側方向）に、ペン先保持部材７の外壁面が各ペン先片３の内壁面に当接するようにペン先保持部材７に当接部１６を設けるとともに、スリット１４を設けた部分の先端部７ｂａの外径を、当接部１６の外径より小径としてある。
【００２０】
本実施例において軸体８は、本実施例のペン先１を装着する軸筒に着脱自在に装着できるように、雌ねじ部１７を設けて軸筒に着脱自在に装着可能としてあるが、軸筒に係る内部構造等や軸筒との装着構造については限定されるものではない。
【００２１】
本実施例のペン先１は、軸筒内に収容したインキをペン体保持部材７に形成したインキ流通路１０を通ってペン体保持部材７の先端部７ｂａに流出し、スリット１４を介して空間部１５にインキが溜り、インキ流出路５を通ってペン体６の先端にインキを充分に供給する。
【００２２】
次に、本実施例のペン先１を装着した筆記具の具体例を図６および図７を用いて簡単に説明すると、図６に示す筆記具１０１は、例えば、軸筒１０２の内部に筆記用インキ（図示せず）を直に収容する構造のもので、軸筒１０２の内部をインキ収容部１０３とし、軸筒１０２の先端には、櫛溝１０４と前後端に開口して連通したインキ流出溝（図示せず）を有したペン芯１０５をペン芯保持部材１０６を介して装着してある。この軸筒１０２に、前記ペン先１をねじ嵌合により連接し、ペン芯１０５の前端をペン体保持部材７の鍔部７Ｃの後端に当接して、ペン芯１０５のインキ流出溝とインキ流通路１０を連通させることで、ペン体６の先端にインキを供給可能としてある。
【００２３】
図７に示す筆記具２０１は、例えば、前記ペン先１を装着する軸筒２０２は、櫛溝２０３と前後端に開口して連通したインキ流出溝（図示せず）を有し、後端にインキカートリッジ２０４を挿着した際にインキ流出防止用のための開口部を閉塞した蓋（図示せず）をずらして開口部を開口するための後方（図５において右側方向）に突出した突出部２０５を有したペン芯２０６をペン芯保持部材２０７を介して装着した前軸２０２ａと、該前軸２０２ａの後端に、ねじ嵌合により着脱自在に連接する、後端を閉塞し前記ペン芯２０６に挿着したインキカートリッジ２０４を収容可能な収容室２０８を有した後軸２０２ｂとで構成されている。前記したペン先１を前記前軸２０２ａに挿着するには、前軸２０２ａに装着したペン芯２０６の前端をペン体保持部材７の鍔部７Ｃの後端に当接して、ペン芯２０６のインキ流出溝とインキ流通路１０を連通させることで、ペン体６の先端にインキを供給可能としてある。
【実施例２】
【００２４】
第２の実施例のペン先を、図８〜図９を用いて説明する。第１の実施例のペン先１と同じ部材や同じ箇所を示す場合には、同じ符号を付してある。
第２の実施例のペン先２１は、図９に示すように、第１の実施例のペン先１と同様に構成してあり、一端側に隙間２を介して複数のペン先片３を有し他端側を連接して連接部４とし、各ペン先片３の先端部に、軸心方向に延び先端に開口した切割溝で形成したインキ流出路５を有した撓み可能な金属製で平板状のペン体６と、前記ペン先片３を周状に配列してペン体６を保持するためのペン体保持部材７と、インキを収容する軸筒（図示せず）の先端に連接可能な軸体８と、ペン体６をペン体保持部材７に対して前後動させるための操作体９とで構成されている。
【００２５】
第１の実施例におけるペン先１との相違点は、操作体４の内壁に内方に向って突出した突起２２を固着して設け、ペン体６の連接部４には貫通した傾斜溝２３を設け、前記突起２２を傾斜溝２３に係合するとともにペン体６を貫通してペン体保持部材７に突出し、ペン体保持部材７の外周面に設けた係合溝２４に係合させた点である。操作体９を回動することにより突起２２は係合溝２４に沿って移動するので、操作体９はペン体保持部材７に対して前後動することなく回動するが、突起２２は傾斜溝２３に対して周方向に移動するのでペン体６はペン体保持部材７に対して前後動する。
【００２６】
それ以外は、第１の実施例におけるペン先１と同様に形成してある。
【産業上の利用可能性】
【００２７】
本発明は、どの方向からも筆記面に筆記できる無方向性のペン先において、ペン先の先端を開口したり閉じたりできる構造とにしたい場合に適用できる。
【符号の説明】
【００２８】
１、２１  ペン先
２  隙間
３  ペン先片
４  連接部
５  インキ流出路
６  ペン体
７  ペン体保持部材
８  軸体
９  操作体
１０  インキ流通路
１１、２２  突起
１２  係止孔
１３、２３  傾斜溝
１４  スリット
１５  空間部
１６  当接部
【図１】
2012020466.tif 000003
【図２】
2012020466.tif 000004
【図３】
2012020466.tif 000005
【図４】
2012020466.tif 000006
【図５】
2012020466.tif 000007
【図６】
2012020466.tif 000008
【図７】
2012020466.tif 000009
【図８】
2012020466.tif 000010
【図９】
2012020466.tif 000011
【手続補正書】
【提出日】平成22年8月23日(2010.8.23)
【手続補正１】
【補正対象書類名】特許請求の範囲
【補正対象項目名】請求項１
【補正方法】変更
【補正の内容】
【請求項１】
一端側に撓み可能な複数のペン先片を有し、他端側を各ペン先片の後端を連接した連接部とし、各ペン先片の先端部に軸心方向に延び先端に開口した切割溝で形成したインキ流出路を有したペン体を、インキを収容する軸筒の先端に連接可能な軸体に装着した、先窄み状の前方部を有し、軸筒内に収容したインキを先端に流出するためのインキ流通路と、先端部に一方をインキ流通路に連通し他方を外方に開口したスリットを有したペン体保持部材の外周上に、連接部を環状にして各ペン先片を環状に配列して、各ペン先片の先端を全体形状が先窄み状となるように集合し、かつ各ペン先片内にペン体保持部材の前方部が位置し、各ペン先片のインキ流出路が対向するペン体保持部材の前方部の外壁面と各ペン先片の内壁面との間に毛管作用によりインキ溜り部となる空間部を形成するように配し、ペン体保持部材の前方部に各ペン先片に当接する当接部を設け、操作体を軸体およびペン体保持部材に対して回動可能に具設し、操作体を回動することでペン体をペン体保持部材に対して前後方向に移動可能とし、ペン体がペン体保持部材に対して後方に移動した際に、各ペン先片の先端が離間して開いた状態となることを特徴とするペン先。
【手続補正２】
【補正対象書類名】明細書
【補正対象項目名】０００８
【補正方法】変更
【補正の内容】
【０００８】
本発明は、
「１．一端側に撓み可能な複数のペン先片を有し、他端側を各ペン先片の後端を連接した連接部とし、各ペン先片の先端部に軸心方向に延び先端に開口した切割溝で形成したインキ流出路を有したペン体を、インキを収容する軸筒の先端に連接可能な軸体に装着した、先窄み状の前方部を有し、軸筒内に収容したインキを先端に流出するためのインキ流通路と、先端部に一方をインキ流通路に連通し他方を外方に開口したスリットを有したペン体保持部材の外周上に、連接部を環状にして各ペン先片を環状に配列して、各ペン先片の先端を全体形状が先窄み状となるように集合し、かつ各ペン先片内にペン体保持部材の前方部が位置し、各ペン先片のインキ流出路が対向するペン体保持部材の前方部の外壁面と各ペン先片の内壁面との間に毛管作用によりインキ溜り部となる空間部を形成するように配し、ペン体保持部材の前方部に各ペン先片に当接する当接部を設け、操作体を軸体およびペン体保持部材に対して回動可能に具設し、操作体を回動することでペン体をペン体保持部材に対して前後方向に移動可能とし、ペン体がペン体保持部材に対して後方に移動した際に、各ペン先片の先端が離間して開いた状態となることを特徴とするペン先。
２．前記操作体を、軸体の前方でペン体の連接部の外周状に、軸体およびペン体保持部材に対して回動可能かつ前後に移動可能に配し、操作体にペン体に形成した係止孔を貫通してペン体保持部材の外周面に形成した傾斜溝に係合した突起を設け、操作体を回動することで突起が傾斜溝に沿って前後動可能とした、前記１項に記載のペン先。
３．前記操作体を、軸体の前方でペン体の連接部の外周状に、軸体およびペン体保持部材に対して回動可能に配し、操作体の内壁面にペン体の連接部に形成した傾斜溝に係合する突起を設け、操作体を回動することで突起によりペン体がペン体保持部材に対して前後動可能とした、前記１項に記載のペン先。」
である。
【手続補正３】
【補正対象書類名】明細書
【補正対象項目名】００１２
【補正方法】変更
【補正の内容】
【００１２】
【図１】本発明の実施例を示す、ペン先の斜視図である。
【図２】ペン先の第１の実施例を示す、ペン先の内部構造の概略を示す要部を断面した図である。
【図３】図２におけるＡ−Ａ線部分の拡大端面図である。
【図４】第１の実施例におけるペン体の斜視図である。
【図５】図２において、操作体を操作して、ペン体をペン体保持部材に対して後退させた状態を示した図である。
【図６】第１の実施例におけるペン先を装着した筆記具の具体例を示す、筆記具の内部構造の概略を示す要部を断面した図である。
【図７】第１の実施例におけるペン先を装着した筆記具の他の具体例を示す、筆記具の内部構造の概略を示す要部を断面した図である。
【図８】ペン先の第２の実施例を示す、ペン先の内部構造の概略を示す要部を断面した図である。
【図９】第２の実施例におけるペン体の斜視図である。
【手続補正４】
【補正対象書類名】図面
【補正対象項目名】図２
【補正方法】変更
【補正の内容】
【図２】
2012020466.tif 000012
【手続補正５】
【補正対象書類名】図面
【補正対象項目名】図４
【補正方法】変更
【補正の内容】
【図４】
2012020466.tif 000013
【手続補正６】
【補正対象書類名】図面
【補正対象項目名】図６
【補正方法】変更
【補正の内容】
【図６】
2012020466.tif 000014
【手続補正７】
【補正対象書類名】図面
【補正対象項目名】図７
【補正方法】変更
【補正の内容】
【図７】
2012020466.tif 000015
【手続補正８】
【補正対象書類名】図面
【補正対象項目名】図８
【補正方法】変更
【補正の内容】
【図８】
2012020466.tif 000016